(57)【要約】      （修正有）【課題】表示装置内で発生した異物や表示装置の組み立て時に混入した異物が表示領域内に移動することを防止する表示装置を得る。【解決手段】液晶表示パネル５を載置するためのパネル載置部１ａと前記表示パネルの表示面に対して水平方向の移動を規制する支持部１ｂとを有する第１フレーム（ミドルフレーム）１を備えた液晶表示装置において、ミドルフレーム１は、液晶表示パネル５を載置する載置面１ｃにおける支持部１ｂ近傍に、凹部１１を支持部１ｂに対して表示面５ｂ側に有するものである。【選択図】図４
2007121633.tif 000002
【特許請求の範囲】
【請求項１】
表示パネルと、
前記表示パネルの裏面側に配置した光源と、
前記表示パネルを載置するためのパネル載置部と前記表示パネルの表示面に対して水平方向の移動を規制する支持部とを有する第１のフレームと、
前記第１のフレームのパネル載置部と対向することで前記表示パネルを挟持する第２のフレームとを備えた表示装置において、
前記第１のフレームは、前記パネル載置部の前記表示パネルを載置する載置面における前記支持部近傍に、凹部を前記支持部に対して表示面側に有することを特徴とする表示装置。
【請求項２】
前記表示パネルは矩形状であり、
前記凹部は、前記表示パネルの辺とほぼ平行に延在する第１の溝であることを特徴とする請求項１項記載の表示装置。
【請求項３】
前記第１の溝は、前記載置面に対して傾斜する傾斜面を前記支持部側に有し、
前記傾斜面と対向する面との間隔が前記第１の溝の開口部から底部にかけて減少する断面形状であることを特徴とする請求項２項記載の表示装置。
【請求項４】
前記表示パネルの一辺に対して複数の前記第１の溝がそれぞれほぼ平行に延在することを特徴とする請求項２または３のいずれか１項記載の表示装置。
【請求項５】
前記表示パネルの一辺に対してほぼ平行に延在する前記第１の溝が、延在方向に対して前記第１の溝を分断するように複数に分割されていることを特徴とする請求項２、３または４のいずれか１項記載の表示装置。
【請求項６】
分割されたそれぞれの溝の平面形状が多角形または円形であることを特徴とする請求項５記載の表示装置。
【請求項７】
表示パネルと、
前記表示パネルの裏面側に配置した光源と、
前記表示パネルを載置するためのパネル載置部と前記表示パネルの表示面に対して水平方向の移動を規制する支持部とを有する第１のフレームと、
前記第１のフレームのパネル載置部と対向することで前記表示パネルを挟持する第２のフレームとを備えた表示装置において、
前記第１のフレームは、前記支持部における前記表示パネルに当接する当接面に、前記表示パネルの厚さよりも開口部の幅が小さい第２の溝を有することを特徴とする表示装置。
【請求項８】
矩形状の表示パネルと、
前記表示パネルの裏面側に配置した光源と、
前記表示パネルを載置するためのパネル載置部と前記表示パネルの表示面に対して水平方向の移動を規制する支持部とを有する第１のフレームと、
前記第１のフレームのパネル載置部と対向することで前記表示パネルを挟持する第２のフレームとを備えた表示装置において、
前記第１のフレームは、前記パネル載置部の前記表示パネルを載置する載置面における前記支持部近傍に、凹部を前記支持部に対して表示面側に有しており、
前記支持部における前記表示パネルに当接する当接面に、前記表示パネルの厚さよりも開口部の幅が小さい第２の溝を有することを特徴とする表示装置。
【請求項９】
１つの前記支持部に対して複数の前記第２の溝がそれぞれほぼ平行に延在することを特徴とする請求項７または８のいずれか１項記載の表示装置。
【発明の詳細な説明】
【技術分野】
【０００１】
この発明は、表示領域内に異物が侵入することを防止するミドルフレームを備えた表示装置に関する。
【背景技術】
【０００２】
従来の表示装置においては、樹脂フレームの四つの側面部の近傍に管状光源８の上に配置された板状の段状部が有り、この段状部は反射シートと平行に延びている。その段状部には、液晶パネルが載置されている（例えば、特許文献１参照）。
【０００３】
【特許文献１】特開２００２−１０９９２９号公報（第５頁右欄第７行−第２０行、第１図）
【発明の開示】
【発明が解決しようとする課題】
【０００４】
特許文献１に示された、従来の表示装置では、外部から受ける振動やメカ的ストレスによって、樹脂フレームの側面および段状部で液晶パネルと樹脂フレームとが擦れ合い、樹脂フレームの側面および段状部が削れて異物が発生する場合がある。また、表示装置を組み立てる際に異物が混入し、表示領域外に異物がとどまり、異物の存在を認識できない場合がある。
【０００５】
これらの場合に、完成した表示装置を輸送する際の振動や客先での製造工程におけるメカ的ストレスの影響により、表示領域内に異物が移動することで、客先やエンドユーザの下で後発生した表示異物として製品不良となる問題点があった。
また、発塵した異物が光学シートの配置位置まで移動した場合には、異物が光学シートに傷を付けて表示装置の表示ムラとなる問題点があった。
【０００６】
この発明は、上述のような課題を解決するためになされたもので、ミドルフレームを備えた表示装置において、表示装置内で発生した異物や表示装置の組み立て時に混入した異物が表示領域内に移動することを防止する表示装置を提供することを目的とする。
【課題を解決するための手段】
【０００７】
この発明に係る面状光源装置においては、第１のフレームは、パネル載置部の表示パネルを載置する載置面における支持部近傍に、凹部を支持部に対して表示面側に有するものである。
【発明の効果】
【０００８】
この発明は、第１のフレームが、パネル載置部の表示パネルを載置する載置面における支持部近傍に、凹部を支持部に対して表示面側に有することにより、表示パネルと支持部との接触により発塵する異物を凹部で捕捉させ、表示領域への異物の移動を抑制した表示装置を得ることができる。
【発明を実施するための最良の形態】
【０００９】
実施の形態１．
図１はこの発明を実施するための実施の形態１における表示装置の概略構成を示す分解斜視図、図２は図１に示す表示装置の一部である面状光源装置の概略構成を示す分解斜視図、図３は図２に示す面状光源装置の概略構成を示す平面図、図４は図３に示す面状光源装置の矢視ＩＶ−ＩＶ線の部分断面図である。
【００１０】
図１〜４において、この実施の形態１においては、第１のフレームであるミドルフレーム１と第２のフレームであるフロントフレーム２とで表示パネルを挟持する。また、ミドルフレーム１と第３のフレームであるリアフレーム３で面状光源装置４の筐体を構成しているが、ミドルフレーム１とリアフレーム３とを一つの部材として構成してもよく、また、必要に応じて複数の部材を組み合わせることにより構成してもよい。
【００１１】
表示パネルとして、液晶の複屈折性を応用した液晶表示パネル、文字や絵が透明板に印刷された印刷物などが挙げられるが、この実施の形態１においては、表示パネルとして液晶表示パネル５を用いる。
【００１２】
液晶表示パネル５は、上側または下側基板上に着色層、遮光層、スイッチング素子となる薄膜トランジスタ（以下、ＴＦＴと称す）、画素電極等の電極および配線が形成されたＴＦＴアレイ基板および対向基板、二枚の基板を等間隔に保持するスペーサ、二枚の基板を貼り合わせるシール材、二枚の基板とのあいだに液晶を注入した後に封止する封止材、液晶に初期配向をもたせる配向膜および光を偏光させる偏光板などにより構成されるが、本発明においては、既存の液晶表示パネル５を用いるのでここでの説明は省略する。
【００１３】
リアフレーム３は導電性材料で形成し、光源である冷陰極管６、導光板７、ランプリフレクタ８、反射シート９および光学シート類１０などを内包する。
【００１４】
なお、この実施の形態１においては、液晶表示パネル５の裏面５ａ側に配置した光源として、冷陰極管６などの線状光源を用いたが、発光ダイオード（Ｌｉｇｈｔ  Ｅｍｉｔｔｉｎｇ  Ｄｉｏｄｅ：以下、ＬＥＤと称す）やレーザーダイオード（Ｌａｓｅｒ  Ｄｉｏｄｅ：ＬＤ）などの点状光源を用いることもできる。
【００１５】
導光板７は屈折率が１．４〜１．６程度のポリエチレンテレフタレート（ＰＥＴ）、アクリル（ＰＭＭＡ）、ポリカーボネート（ＰＣ）、もしくはシクロオレフィン系などの樹脂板またはガラス基板などの光を透過する機能を有するものである。特に、ポリカーボネートやシクロオレフィン系樹脂を使用することにより、温度変化による導光板７の寸法変化が少なくなり、より広い温度範囲で使用することができるので好ましい。
【００１６】
ランプリフレクタ８は、導光板７の入射面側を除いて冷陰極管６の外周に配置することで、冷陰極管６からの光を効率よく導光板７に導くことができる。
【００１７】
反射シート９は、導光板７とリアフレーム３との間に配置され、導光板７の底面（反液晶表示パネル側）から出射する光を反射し、導光板７内に再入光させる役割を持つ。
【００１８】
反射シート９は、ポリプロピレン（ＰＰ）またはポリエチレンテレフタレート（ＰＥＴ）に硫酸バリウムもしくは酸化チタンを混ぜ合わせた材料、樹脂に微細な気泡を形成した材料、金属板に銀を蒸着した材料、または金属板に酸化チタン等を含む塗料を塗布した材料からなる。
【００１９】
なお、反射シート９の反射率は、反射面での反射ロスを抑えるために９０％以上であることが好ましい。また、リアフレーム３の材料を反射材料で構成することや、リアフレーム３の内側に白色の塗料等を塗布することなどで、反射率を高め、より一層内部での反射がよくなり、光源から出射される光の損失が少なくなるため好ましい。また、リアフレーム３が反射シート９の機能を兼ねるようにしても部材点数を削減できるために好ましい。
【００２０】
導光板７の上面（液晶表示パネル側）には光を効果的に利用するための複数枚の光学シートからなる光学シート類１０を配置し、液晶表示パネル５を導光板７上に光学シート類１０を介して配置する。
【００２１】
なお、光学シート類１０はレンズシートを拡散シートで挟み込む構成である。また、輝度の向上が必要な場合には、正面輝度を向上させるための複数枚のレンズシートをその表面に形成されるシートのプリズムの方向を考慮して組み合わせてもよい。また、拡散シートは、拡散性を向上させる場合に、２枚以上用いることが可能である。さらに、レンズシートの配光特性によってはレンズシートを１枚としてもよいし、または使用しなくてもよい。さらに、保護シート、レンズシートまたは偏光反射シートを組み合わせてもよい。また、いずれも使用しないこともでき、求める輝度や配光特性等を鑑みて最適化することが好ましい。
【００２２】
ミドルフレーム１は、ポリカーボネートなどからなる樹脂材料で成形する。ミドルフレーム１は、導光板７を挟持するようにリアフレーム３に併設し、導光板７の上面に配置される光学シート類１０を、面状光源装置４の発光領域に対して外側の外周部で挟み込むことで位置決めする。
【００２３】
なお、ミドルフレーム１とリアフレーム３とは、ミドルフレーム１の周囲に設けられた突起をリアフレーム３の側面に設けられた透孔に挿入することで係合される。また、必要に応じて、リアフレーム３とミドルフレーム１とはテープ止めされる。
【００２４】
このように、リアフレーム３とミドルフレーム１の内部に、冷陰極管６、導光板７、ランプリフレクタ８、反射シート９および光学シート類１０を内包することで、光源である冷陰極管６から出射した光を表示面５ｂ側に面状に出射する面状光源装置４を構成している。
【００２５】
また、ミドルフレーム１は、液晶表示パネル５を載置するためのパネル載置部１ａと、液晶表示パネル５を表示面５ｂに対して水平方向の移動を規制する支持部１ｂとを有しており、フロントフレーム２はミドルフレーム１のパネル載置部１ａと対向することで液晶表示パネル５を挟持している。
【００２６】
なお、この実施の形態１においては、矩形状の液晶表示パネル５の４つの角に支持部１ｂを設けることで、液晶表示パネル５の固定および位置決めをしているが、液晶表示パネル５を表示面５ｂに対して水平方向の移動を規制することができれば、液晶表示パネルの４つの角に設ける必要もない。
【００２７】
ミドルフレーム１は、パネル載置部１ａの表示パネルを載置する載置面１ｃにおける支持部１ｂ近傍に、平面形状が長方形であり断面形状がコの字形状である凹部１１を、支持部１ｂに対して表示面側に有している。
【００２８】
また、ミドルフレーム１は、フロントフレーム２と組み合わせることによって、外部からの映像信号により画像を形成する液晶表示パネル５と、液晶表示パネル５の周辺に配置され液晶表示パネル５を駆動する回路基板１２と、を収容する構造となっている。この回路基板１２は、液晶表示パネル５を駆動するために一般に液晶表示パネル５に接続されたフレキシブル基板上あるいは液晶表示パネル５上に直接ＩＣチップ等が実装され、さらにそれらの周辺に必要に応じて配置される。また、フロントフレーム２は、一般にアルミニウムやステンレス等の金属からなる。
【００２９】
このように、液晶表示パネル５を駆動する回路基板１２を備え、液晶表示パネル５を面状光源装置４の上部に配置することで液晶表示装置を構成する。
【００３０】
なお、この実施の形態１においては、ミドルフレーム１は樹脂製のモールドフレームにより形成し、フロントフレーム２およびリアフレーム３はアルミニウムまたはステンレス等の金属製のメタルフレームにより形成しているが、この材質に限られるものではない。
【００３１】
つぎに、ミドルフレーム１に形成された凹部１１の働きについて説明する。
ここで、液晶表示装置における客先での不良として大きな割合を占める不良モードとしては、表示領域内に存在する異物がある。
【００３２】
この異物の発生原因としては、第１に、液晶表示パネル５とミドルフレーム１との間に起こる摩擦によりミドルフレーム１が削られ、異物として発塵する場合である。また第２に、液晶表示装置を組み立てる際に液晶表示装置の外部から液晶表示装置内に異物が混入する場合である。
【００３３】
これらの異物において、液晶表示装置を輸送する際の振動や客先での製造工程におけるメカ的ストレスの影響により、液晶表示装置の表示領域外から表示領域内に異物が移動する場合には、客先に出荷する前の液晶表示装置の検査工程では表示領域外に異物がとどまり、異物を検出できない。
【００３４】
特に、表示モードとして、複屈折位相差を利用した横方向電界モード（Ｉｎ−Ｐｌａｎｅ  Ｓｗｉｔｃｈｉｎｇ：以下、ＩＰＳと称す）を用いた液晶表示パネル５の場合には、フロントフレーム２によって液晶表示パネル５が押えつけられて表示ムラが発生することを防止するために、フロントフレーム２と液晶表示パネル５との間に間隙が設けられている。
【００３５】
このため、外部からの振動やメカ的ストレスにより液晶表示パネル５がミドルフレーム１の載置面１ｃに対して垂直な方向に沿って上下に移動することとなる。
【００３６】
この場合に、ミドルフレーム１に設けられた支持部１ｂの当接面１ｄと液晶表示パネル５の端面とが擦れ合い、ミドルフレーム１の材料である樹脂(フレームの材料が樹脂以外の場合はフレームの材料)が液晶表示パネル５により削られ、異物として発塵する。
【００３７】
そこで、この実施の形態１においては、液晶表示装置内のミドルフレーム１上に異物が発生または混入した場合であって、液晶表示装置を輸送する際の振動や客先での製造工程におけるメカ的ストレスにより、表示領域外から表示領域内に向かって異物が移動した場合に、凹部１１内に異物が落ち込み、さらに、液晶表示パネル５の裏面５ａによって凹部１１に蓋がされることで、異物は凹部１１内に捕捉されることとなる。
【００３８】
なお、この実施の形態１においては、図３に示すように、凹部１１の平面形状が長方形の平面形状であるが、多角形や円形の形状であってもよい。
また、それぞれの凹部１１の形状を全て一致させる必要もなく、適宜、断面形状と平面形状とを組み合わせて、パネル載置部１ａであって支持部１ｂ近傍に凹部１１を配置すればよい。
【００３９】
以上のように、この実施の形態１においては、ミドルフレーム１のパネル載置部１ａに凹部１１を設けることで、液晶表示パネル５と支持部１ｂまたはパネル載置部１ａとの擦れにより異物が発生した場合であっても、凹部１１内に異物を捕捉することができ、表示領域外から表示領域内へ異物の移動を抑制することができる。
【００４０】
また、液晶表示装置を組み立てる際に、ミドルフレーム１上に異物が混入した場合であっても、凹部１１内に異物を捕捉することができ、表示領域外から表示領域内への異物の移動を抑制することができる。
【００４１】
また、凹部１１内に異物を捕捉することで、表示領域外から表示領域内への異物の移動を防止することで、異物による光学シート類１０の傷の発生を防止することができる。
【００４２】
さらに、液晶表示装置の輸送中や客先での製造工程における組み立て時の振動等の外力が加わった場合であっても、凹部１１内に異物を捕捉することができ、異物が表示領域外から表示領域内へ移動することを防止できるため、客先での不良率を大幅に低減することができる。
【００４３】
また、液晶表示装置の用途として、自動車または産業用として用いられる場合には、通常の使用と比較して、外部から液晶表示装置内部への異物等の進入が多くなり、かつ、液晶表示装置の高信頼性が求められるために、この実施の形態１に係る発明を用いることで高信頼性をもつ液晶表示装置が得ることができる。
【００４４】
実施の形態２．
図５はこの発明を実施するための実施の形態２における面状光源装置の概略構成を示す平面図、図６は図５に示す面状光源装置の矢視ＶＩ−ＶＩ線の部分断面図、図７（ａ）は第１の溝の断面形状をＶ字形状とした図５に示す面状光源装置の矢視ＶＩＩ−ＶＩＩ線の部分断面図、図７（ｂ）は図７（ａ）に示す面状光源装置のパネル載置部の一部を示した部分平面図、図８（ａ）は第１の溝の断面形状を台形形状とした図５に示す面状光源装置の矢視ＶＩＩＩ−ＶＩＩＩ線の部分断面図、図８（ｂ）は図８（ａ）に示す面状光源装置のパネル載置部の一部を示した部分平面図である。図５〜図８において、図１〜４と同じ符号は、同一または相当部分を示し、その説明を省略する。
【００４５】
第１の溝１３は、液晶表示パネル５の周縁の一辺とほぼ平行に凹部１１を延在させたものであり、液晶表示パネル５の周縁の辺に沿って四辺（長辺および短辺）に配置されている。なお、必要に応じて、液晶表示パネル５の周縁のうちの一部に設けてもよい。
【００４６】
また、第１の溝１３の平面形状は、矩形状の液晶表示パネル５の１つの角から隣り合う角に渡って連続的な長方形としている。また、第１の溝１３の断面形状はコの字形状としており、第１の溝１３の深さおよび幅は、ミドルフレーム１の強度などを考慮して設計する。
【００４７】
なお、この実施の形態２においては、凹部１１を液晶表示パネル５の周縁の辺とほぼ平行に延在させた第１の溝１３としたところのみが実施の形態１と異なるところであり、後述する第１の溝１３による作用効果以外は実施の形態１と同様の作用効果を奏する。
【００４８】
実施の形態１にいては、凹部１１を支持部１ｂ近傍に配置していることで、支持部１１ｂと液晶表示パネル５との間の摩擦により発生した異物については、凹部１１近傍に異物が発生するために、凹部１１内に異物を捕捉する効果が期待できる。
【００４９】
しかしながら、凹部１１から離れており、パネル載置部１ａと液晶パネル５との間の摩擦により発生した異物や、液晶表示装置を組み立てる際にミドルフレーム１上に混入した異物については、表示領域外から表示領域内に向かって異物が移動した場合に、異物の移動経路に凹部１１が重なるとは限らず、凹部１１内に異物が落ち込み異物を捕捉する効果がそれほど期待できない。
【００５０】
そこで、この実施の形態２においては、第１の溝１３を液晶表示パネルの全周を取り囲むように、液晶表示パネル５の周縁の四辺（長辺および短辺）に配置することで、表示領域外から表示領域内に異物が振動等により移動する場合に、異物の移動経路は第１の溝１３と交差することとなり、凹部１１と比較して異物を確実に捕捉することができる。
【００５１】
また、第１の溝１３をパネル載置部１ａ上に設けることで、従来の液晶表示装置と比較して、液晶表示パネル５とパネル載置部１ａとの接触面積を減らすことができ、液晶表示パネル５とパネル載置部１ａとの擦れを緩和することで、異物の発塵を抑制することができる。
【００５２】
また、ＩＰＳ方式の液晶表示装置においては、パネル載置部１ａから液晶表示パネル５に受ける応力を緩和することで、液晶表示装置の表示ムラの発生を抑制することができる。
【００５３】
なお、この実施の形態２においては、図６に示すように、第１の溝１３の断面形状がコの字形状の断面形状であるが、第１の溝１３が、載置面１ｃに対して傾斜する傾斜面１３ａを支持部１ｂ側に有し、傾斜面１３ａと対向する対向面１３ｂとの間隔が第１の溝１３の開口部１３ｃから底部１３ｄにかけて減少するような第１の溝１３の断面形状にすることで、コの字形状の垂直面と比較して傾斜面１３ａで異物を第１の溝１３の底部１３ｄに導きやすくなるので好ましい。例えば、図７（ａ）に示すように断面形状をＶ字形状、図８（ａ）に示すように断面形状を台形形状、または断面形状をＵ字形状とすることなど、断面形状を多角形や円弧状としてもよい。
【００５４】
実施の形態３．
図９（ａ）は複数の第１の溝を配置した面状光源装置の部分断面図、図９（ｂ）は図９（ａ）に示す面状光源装置のパネル載置部の一部を示した部分平面図である。図９において、図１〜８と同じ符号は、同一または相当部分を示し、その説明を省略する。
【００５５】
第１の溝１３は、液晶表示パネル５の一辺に対してほぼ平行に延在する複数の溝からなる。この実施の形態３においては、液晶表示パネル５の一辺に対して２本の第１の溝１３をパネル載置部１ａ上に形成しているが、第１の溝１３はこの本数に限られるものではない。
【００５６】
なお、この実施の形態３においては、液晶表示パネル５の一辺に対して複数の第１の溝１３がそれぞれほぼ平行に延在するところのみが実施の形態２と異なるところであり、後述する複数の第１の溝１３による作用効果以外は実施の形態１および２と同様の作用効果を奏する。
【００５７】
複数の第１の溝１３をパネル載置部１ａ上に設けることで、実施の形態２における液晶表示装置と比較して、異物の捕捉効率を向上させることができる。
【００５８】
また、パネル載置部１２から液晶表示パネル５にかかる負荷を分散し、特に、ＩＰＳ方式の液晶表示装置においては、液晶表装置の表示ムラの発生を抑制することができる。
【００５９】
実施の形態４．
図１０（ａ）は分割した第１の溝を配置した面状光源装置の部分断面図、図１０（ｂ）は図１０（ａ）に示す面状光源装置のパネル載置部の一部を示した部分平面図、図１１（ａ）は分割した第１の溝を配置した他の面状光源装置の部分断面図、図１１（ｂ）は図１１（ａ）に示す面状光源装置のパネル載置部の一部を示した部分平面図である。図１０および図１１において、図１〜９と同じ符号は、同一または相当部分を示し、その説明を省略する。
【００６０】
液晶表示パネル５の一辺に対してほぼ平行に延在する第１の溝１３が、延在方向に対して第１の溝１３を分断するように複数に分割されている。分割されたそれぞれの溝１３ｅの平面形状および断面形状は長方形としており、溝１３ｅの深さおよび幅は、ミドルフレーム１の強度などを考慮して設計する。
【００６１】
分割されたそれぞれの溝１３ｅにより第１の溝１３の平面形状は格子状をなしている。なお、分割されたそれぞれの溝１３ｅの平面形状は、多角形や円形であってもよい。
【００６２】
なお、この実施の形態４においては、第１の溝１３が延在方向に対して第１の溝１３を分断するように複数に分割されているところのみが実施の形態２と異なるところであり、後述する分割されたそれぞれの溝１３ｅによる作用効果以外は実施の形態１、２および３と同様の作用効果を奏する。
【００６３】
分割されたそれぞれの溝１３ｅにより第１の溝１３の平面形状を格子状として、パネル載置部１ａ上に設けることで、液晶表示パネル５とパネル載置部１ａとの接触面積を減らすことができるため、ＩＰＳ方式の液晶表示装置においては、実施の形態２における液晶表示装置と比較して、パネル載置部１２から液晶表示パネル５に受ける応力をさらに緩和することで、液晶表装置の表示ムラの発生を抑制することができる。
【００６４】
なお、この実施の形態２においては、図１０（ｂ）に示すように、それぞれの溝１３ｅの平面形状を長方形としているが、図１１（ｂ）に示すように、それぞれの溝１３ｅの平面形状を平行四辺形として、隣り合う平行四辺形の溝１３ｅを平行四辺形の短辺または長辺方向を一致させて整列させる。これにより、それぞれの溝１３ｅの平面形状を長方形にする場合と比較して、表示領域外から表示領域内への異物の移動経路に、凹部１１が重なる可能性が高くなり、凹部１１内に異物が落ち込み異物を捕捉する効果がさらに期待できる。
【００６５】
実施の形態５．
図１２（ａ）は第２の溝を配置した面状光源装置の部分断面図、図１２（ｂ）は図１２（ａ）に示す面状光源装置のミドルフレームの一部を示した部分斜視図である。図１２において、図１〜１１と同じ符号は、同一または相当部分を示し、その説明を省略する。
【００６６】
ミドルフレーム１は、支持部１ｂにおける液晶表示パネル５に当接する当接面１ｄに、液晶表示パネル５の厚さよりも開口部１４ａの幅が小さい第２の溝１４を有している。第２の溝１４は、液晶表示パネル５の周縁の一辺とほぼ平行に延在させている。また、１つの支持部１ｂに対して複数の第２の溝１４がそれぞれ平行に延在している。
【００６７】
また、第２の溝１４の平面形状および断面形状は長方形としており、第２の溝１４の深さおよび幅は、ミドルフレーム１の強度などを考慮して設計する。
【００６８】
なお、この実施の形態４においては、第２の溝１４をミドルフレーム１の支持部１ｂの当接面１ｄに設けたところのみが実施の形態１、２、３および４と異なるところであり、後述する第２の溝１４による作用効果以外は実施の形態１、２、３または４と同様の作用効果を奏する。
【００６９】
第２の溝１４を支持部１ｂの当接面１ｄに設けることで、液晶表示パネル５の表示面５ｂに対して垂直方向の振動や応力が働いた場合にも、従来の液晶表示装置と比較して、液晶表示パネル５と支持部１ｂとの接触面積を減らすことができ、液晶表示パネル５とパネル載置部１ａとの擦れを緩和することで、異物の発塵を抑制することができる。
【００７０】
また、支持部１ｂの当接面１ｄに異物が付着した場合であっても、第２の溝１４に異物が捕捉されることで、表示領域内への異物の移動を抑制することができる。
【００７１】
なお、この実施の形態５においては、ミドルフレーム１に第１の溝１３および第２の溝１４を設けているが、ミドルフレーム１に第２の溝１４のみを設けることでも、従来の面状光源装置と比較して、異物の発塵および表示領域内への異物の移動を抑制することができる。
【００７２】
以上のように、ミドルフレーム１に形成する、凹部１１、第１の溝１３、溝１３ｅまたは第２の溝１４の組み合わせ、個数、並びに断面形状および平面形状を適宜選択することで、溝による異物の捕捉率およびミドルフレーム１の加工性を改善することができる。
【００７３】
なお、実施の形態１〜５に示した液晶表示装置における異物を捕捉する効果を、ミドルフレーム１のパネル載置部１ａに異物を散布し、それぞれの実施の形態における異物の移動および発生状況を確認すること（振動試験）で、以下のような大小関係（効果小＜効果大）となることが判明した。
(図６) ＜ (図７) ＜ (図１０) ＜(図８) ＜ (図１１) ＜ (図１２)
【図面の簡単な説明】
【００７４】
【図１】この発明を実施するための実施の形態１における表示装置の概略構成を示す分解斜視図である。
【図２】図１に示す表示装置の一部である面状光源装置の概略構成を示す分解斜視図である。
【図３】図２に示す面状光源装置の概略構成を示す平面図である。
【図４】図３に示す面状光源装置の矢視ＩＶ−ＩＶ線の部分断面図である。
【図５】この発明を実施するための実施の形態２における面状光源装置の概略構成を示す平面図である。
【図６】図５に示す面状光源装置の矢視ＶＩ−ＶＩ線の部分断面図である。
【図７】ミドルフレームの一例を示す図であり、（ａ）は第１の溝の断面形状をＶ字形状とした図５に示す面状光源装置の矢視ＶＩＩ−ＶＩＩ線の部分断面図、（ｂ）は図７（ａ）に示す面状光源装置のパネル載置部の一部を示した部分平面図である。
【図８】ミドルフレームの一例を示す図であり、（ａ）は第１の溝の断面形状を台形形状とした図５に示す面状光源装置の矢視ＶＩＩＩ−ＶＩＩＩ線の部分断面図、（ｂ）は図８（ａ）に示す面状光源装置のパネル載置部の一部を示した部分平面図である。
【図９】ミドルフレームの一例を示す図であり、（ａ）は複数の第１の溝を配置した面状光源装置の部分断面図、（ｂ）は図９（ａ）に示す面状光源装置のパネル載置部の一部を示した部分平面図である。
【図１０】ミドルフレームの一例を示す図であり、（ａ）は分割した第１の溝を配置した面状光源装置の部分断面図、（ｂ）は図１０（ａ）に示す面状光源装置のパネル載置部の一部を示した部分平面図である。
【図１１】ミドルフレームの一例を示す図であり、（ａ）は分割した第１の溝を配置した他の面状光源装置の部分断面図、（ｂ）は図１１（ａ）に示す面状光源装置のパネル載置部の一部を示した部分平面図である。
【図１２】ミドルフレームの一例を示す図であり、（ａ）は第２の溝を配置した面状光源装置の部分断面図、（ｂ）は図１２（ａ）に示す面状光源装置のミドルフレームの一部を示した部分斜視図である。
【符号の説明】
【００７５】
１    ミドルフレーム
１ａ  パネル載置部
１ｂ  支持部
１ｃ  載置面
１ｄ  当接面
２    フロントフレーム
３    リアフレーム
４    面状光源装置
５    液晶表示パネル
５ａ  裏面
５ｂ  表示面
６    冷陰極管
１１    凹部
１３    第１の溝
１３ａ  傾斜面
１３ｂ  対向面
１３ｃ  開口部
１３ｄ  底部
１３ｅ  溝
１４    第２の溝
１４ａ  開口部
【図１】
2007121633.tif 000003
【図２】
2007121633.tif 000004
【図３】
2007121633.tif 000005
【図４】
2007121633.tif 000006
【図５】
2007121633.tif 000007
【図６】
2007121633.tif 000008
【図７】
2007121633.tif 000009
【図８】
2007121633.tif 000010
【図９】
2007121633.tif 000011
【図１０】
2007121633.tif 000012
【図１１】
2007121633.tif 000013
【図１２】
2007121633.tif 000014